(57)【要約】【課題】天吊据付用の取付金具を取り付ける取付ねじ締結部の強度及び安全性を向上させたプロジェクタを提供することを目的とする。【解決手段】本発明に係るプロジェクタは、筐体の底壁３１に設けられた複数の、貫通状のねじ穴を有するインサートナット３５に対し、天吊設置用の取付部材４０が取り付けられる。外側では天吊設置用の取付部材４０を取り付ける取付ねじ５５が締結され、内側では内部機器に形成された板部を結合する固定ねじ７４が締結される。これにより、取付ねじ５５締結部の強度向上が図られている。また、インサートナット３５は、円筒状ねじ部３５ａの長さ方向中間に底壁３１のボス部３４に当接する鍔部３５ｂを有し、この強度を弱くしている。これにより設定ミスにより高トルクで取付ねじ５５が締結された場合に、鍔部３５ｂの基部３５ｃが破断され、インサートナット３５の円筒状ねじ部３５ａの破断が防止される。【選択図】図４
2013092585.tif 000002
【特許請求の範囲】
【請求項１】
天吊設置用の取付部材を固定する取付ねじが筐体の底壁の外側から締結される、複数のインサートナットが前記底壁に埋め込まれたプロジェクタにおいて、
前記底壁は、インサートナットを埋め込むための複数の円筒部を有し、
前記インサートナットは、内部に雌ねじが貫通状に形成された円筒状ねじ部の軸方向中間部の外周に鍔部が一体的に形成されるとともに、鍔部が前記円筒部の端部に当接するように前記円筒状ねじ部における筐体外部側が前記円筒部に埋め込まれて固定され、さらに、前記鍔部の基部の強度が、前記円筒状ねじ部の強度より小さくなるように設定され、
また、前記複数のインサートナットの内の少なくとも一部において、筐体内部側の端部には、固定ねじにより前記底壁に固定される内部機器に形成された板部が結合されている
ことを特徴とするプロジェクタ。
【請求項２】
請求項１記載のプロジェクタにおいて、
前記インサートナットは、円筒状ねじ部における鍔部から筐体外部側の端部までの寸法が、円筒状ねじ部における鍔部から筐体内部側の端部までの寸法より大きく形成されている
ことを特徴とするプロジェクタ。
【請求項３】
請求項１又は２記載のプロジェクタにおいて、
前記インサートナットの筐体内部側の端部に結合される前記板部は、底壁内面に対面して取り付けられている電磁波用のシールド板であるシールドボトムから切り起こされた折曲部である
ことを特徴とするプロジェクタ。
【請求項４】
請求項１又は２記載のプロジェクタにおいて、
前記インサートナットの筐体内部側の端部に結合される前記板部には、底壁内面に対面して取り付けられているシールド機能を有するシールドボトムから切り起こされた折曲部と、筐体内部に取り付けられる他の内部機器に形成された板部とが含まれる
ことを特徴とするプロジェクタ。
【請求項５】
請求項１〜４のいずれか１項に記載のプロジェクタにおいて、
前記インサートナットの筐体内部側の端部に結合される前記板部は、複数のインサートナットにおいて、底壁内面に対面して取り付けられるシールド機能を有するシールドボトムから切り起こされた折曲部が含まれる
ことを特徴とするプロジェクタ。
【発明の詳細な説明】
【技術分野】
【０００１】
本発明は、画像を投写レンズを通して投写画面に拡大投写するプロジェクタに関し、特に、プロジェクタにおける天吊設置用の取付部材を取り付けるための取付ねじ部の構造に関する。
【背景技術】
【０００２】
プロジェクタは、プロジェクタを机上などの載置面に載置して使用する据置設置や、プロジェクタを天井に吊り下げるように設置する天吊設置などで使用される。
また、このプロジェクタにおける外装ケースを形成する筐体外表面の呼称は、通常、この据置設置の場合における下面が底面、上面が天面とされ、さらに、投写レンズが配置されている面が正面又は前面とされている。そこで、本明細書におけるこれら面の呼称も従前に従うものとする。また、この明細書においては、左右方向及び前後方向は据置設置の場合において正面から見た方向をいうものとする。
【０００３】
また、このようなプロジェクタが天吊設置される場合は、筐体の天面を下側、底面を上側にし、筐体の底面に取付部材が取り付けられ、この取付部材を介してプロジェクタが天井から吊り下げられて使用されている。本発明は、この取付部材を筐体の底面に取り付ける取付ねじ部の構造に係るものである。
【０００４】
そこで、このような取付ねじ部の構造に関する従来例を図９に示す。この例は、特許文献１に記載されているものである。
プロジェクタを天吊設置するための取付部材１０１は、図９（ａ）の分解斜視図に示されているように、プロジェクタの筐体１０２の底面１０３上に取り付けられる。具体的には、天吊設置用の取付部材１０１は、図９（ｂ）に示されるように、取付ねじ１０４が、取付部材１０１に形成された孔１０５を介して、筐体１０２の底面１０３を形成する底壁１０６に形成されたねじ孔１０７に直接締結されている。特許文献１においては、このようにして天吊設置用の取付部材１０１が筐体１０２の底面１０３上に取り付けられている。
【０００５】
次に、特許文献２に記載されている他の従来例を図１０に示す。
この例においても、先の従来例と同様に、天吊設置用の取付部材２０１がプロジェクタの筐体２０２の底面２０３上に取り付けられる。具体的には、天吊設置用の取付部材２０１は、図１０に示されるように、取付部材２０１に形成された貫通孔２０５を介して、取付ねじ２０４が筐体２０２の底面２０３を形成する底壁２０６に設けられたナット２０７に締結されている。また、ナット２０７は、底壁２０６に形成された円筒部２０８の内部に、軸方向に対し抜け止め状態となるような形態でインサートされている。さらに、この円筒部２０８の内側からキャップ２０９が被せられている。なお、キャップ２０９は、底壁２０６の内面側に形成された係止突起２１０により固定されている。特許文献２においては、このようにして天吊設置用の取付部材２０１が筐体２０２の底面２０３上に取り付けられている。
【先行技術文献】
【特許文献】
【０００６】
【特許文献１】特開２００８−１９７３８９号公報
【特許文献２】特開２０００−１２２１８０号公報
【発明の概要】
【発明が解決しようとする課題】
【０００７】
ところで、特許文献１のものは、取付部材１０１を取り付けるための取付ねじ１０４が、筐体の底壁１０６に直接ねじ切りしたねじ孔１０７に直接締結されているため、ねじ孔１０７の強度が弱く、取付ねじ１０４が底壁１０６から外れ易いという問題がある。また、特許文献２のものは、底壁２０６にインサートされたナット２０７に取付ねじ２０４が締結されるため、ねじ部の強度は十分なものとすることができる。しかし、プロジェクタの重量或いはこのプロジェクタに加えられた力が、ナット２０７と底壁２０６との密着結合部に大きく作用するため、長期使用の場合にはこの密着結合部における底壁２０６の磨耗や部分損壊が進み、ナット２０７の取付強度が劣化するという問題があった。また、電動ドライバーの設定ミスにより密着結合部の取付強度を超える高トルクが作用した場合の対策については触れられていない。
【０００８】
本発明は、従来技術におけるこのような問題点に鑑み成されたものであって、天吊据付用の取付金具を取り付ける取付ねじの取付部の強度及び安全性を向上させたプロジェクタを提供することを目的とする。
【課題を解決するための手段】
【０００９】
上記目的を達成するために、請求項１に記載された発明に係るプロジェクタは、天吊設置用の取付部材を固定する取付ねじが筐体の底壁の外側から締結される、複数のインサートナットが前記底壁に埋め込まれたプロジェクタにおいて、前記底壁は、インサートナットを埋め込むための複数の円筒部を有し、前記インサートナットは、内部に雌ねじが貫通状に形成された円筒状ねじ部の軸方向中間部の外周に鍔部が一体的に形成されるとともに、鍔部が前記円筒部の端部に当接するように前記円筒状ねじ部における筐体外部側が前記円筒部に埋め込まれて固定され、さらに、前記鍔部の基部の強度が、前記円筒状ねじ部の強度より小さくなるように設定され、また、前記複数のインサートナットの内の少なくとも一部において、筐体内部側の端部には、固定ねじにより前記底壁に固定される内部機器に形成された板部が結合されていることを特徴とする。ここで、「鍔部の基部」とは、鍔部と円筒状ねじ部との接合部をいう。
【００１０】
このように構成された本発明によれば、貫通状にねじ孔が形成されたインサートナットに対し、筐体内部側の端部には、固定ねじにより底壁に固定される内部機器に形成された板部が結合され、筐体外部側の端部には、取付ねじにより筐体の外部に天吊設置用の取付部材が取り付けられる。これにより、取付ねじの取付部においては、天吊設置用の取付部材、内部機器、インサートナット及び底壁が一体的に固定されるので、プロジェクタの重量やプロジェクタに加えられた力がインサートナットと底壁との密着結合部に大きく作用することがない。
【００１１】
また、取付ねじの締結を行う際に、仮に電動ドライバーの設定ミスにより高トルクで締結された場合には、鍔部が筐体の円筒部に当接して固定されているため、インサートナットが円筒部で空転するとともに、インサートナットの円筒状ねじ部及び鍔部の基部に大きな力が作用する。しかしながら、鍔部の基部の強度が、インサートナットの円筒状ねじ部の強度よりも小さくなるように設定されているので、円筒状ねじ部に大きな力が作用する前に鍔部の基部が破断され、インサートナットの円筒状ねじ部の破断が防止される。また、鍔部の破断に伴い、天吊設置用の取付部材、内部機器、インサートナット及び底壁の一体性が損なわれて、プロジェクタの底壁が取付部材から離間するため、作業者は異常が発生したことを認識することができ、この事態に対処することができる。
【００１２】
請求項２記載の発明は、請求項１記載のプロジェクタにおいて、前記インサートナットは、円筒状ねじ部における鍔部から筐体外部側の端部までの寸法が、円筒状ねじ部における鍔部から筐体内部側の端部までの寸法より大きく形成されていることを特徴とする。
【００１３】
このような構成によれば、インサートナットの円筒状ねじ部のうち円筒部に埋め込まれる部分を大きく採ることができ、インサートナットの固定強度を大きくすることができる。なお、インサートナットの円筒状ねじ部における鍔部から筐体内部側の端部までの寸法は、インサートナットの筐体外部から天吊設置用の取付部材を取り付ける取付ねじが過剰なトルクで締結されたときに、鍔部の基部に応力集中させることを許容するとともに、鍔部の基部が破断されたときに天吊設置用の取付部材、内部機器、インサートナット及び底壁の一体性が損なわれて、底壁が取付部材の取付辺部から認識できる程度に離間することを誘発する程度の大きさであればよい。
【００１４】
請求項３記載の発明は、請求項１又は２記載のプロジェクタにおいて、前記インサートナットの筐体内部側の端部に結合される前記板部は、底壁内面に対面して取り付けられている電磁波用のシールド板であるシールドボトムから切り起こされた折曲部であることを特徴とする。
【００１５】
このような構成によれば、シールドボトムは筐体の底壁には通常大きな面積にシールドボトムが取り付けられているので、適宜の取付場所に容易に折曲部を形成することができる。
【００１６】
請求項４記載の発明は、請求項１又は２記載のプロジェクタにおいて、前記インサートナットの筐体内部側の端部に結合される前記板部には、底壁内面に対面して取り付けられているシールド機能を有するシールドボトムから切り起こされた折曲部と、筐体内部に取り付けられる他の内部機器に形成された板部とが含まれることを特徴とする。
【００１７】
このような構成によれば、前記板部として、筐体内部に取り付けられる他の内部機器に形成された板部が含まれているので、この他の内部機器を取り付けるための専用の取付ねじ及びねじ孔を省略することが可能となり、コスト軽減に寄与することができる。
【００１８】
請求項５記載の発明は、請求項１〜４のいずれか１項に記載のプロジェクタにおいて、前記インサートナットの筐体内部側の端部に結合される前記板部は、複数のインサートナットにおいて、底壁内面に対面して取り付けられるシールド機能を有するシールドボトムから切り起こされた折曲部が含まれることを特徴とする。
【００１９】
このような構成によれば、インサートナットの筐体内部側の端部に結合される板部として、複数のインサートナットにおいてシールドボトムから切り起こされた折曲部が含まれるので、天吊設置用の取付部材、内部機器であるシールドボトム、複数のインサートナット及び底壁が一体的に固定される。これにより、複数のインサートナットを利用したプロジェクタの吊り下げ強度が向上する。
【発明の効果】
【００２０】
本発明のプロジェクタによれば、天吊設置用の取付部材の取付ねじの取付部においては、天吊設置用の取付部材、内部機器、インサートナット及び底壁が一体的に固定されるので、プロジェクタの重量やプロジェクタに加えられた力がインサートナットと底壁との密着結合部に大きく作用することがない。また、取付ねじを締結する際に、電動ドライバーの設定ミスにより高トルクで締結された場合、鍔部の基部が破断されることにより、インサートナットの円筒状ねじ部の破断が防止される。また、鍔部の破断に伴い、天吊設置用の取付部材、内部機器、インサートナット及び底壁の一体性が損なわれて、プロジェクタが取付部材から離間するため、作業者は異常が発生したことを認識することができ、この事態に対処することができる。
【図面の簡単な説明】
【００２１】
【図１】本発明の実施の形態に係る３板式液晶プロジェクタの外観斜視図である。
【図２】同プロジェクタの底面を上側にしてその底面に天吊設置用の取付部材を取り付けた状態の外観斜視図である。
【図３】同プロジェクタの天吊設置状態図である。
【図４】同プロジェクタにおける天吊設置用の取付部材の取付ねじ部の構造図である。
【図５】同プロジェクタにおける天吊設置用の取付部材の、他の取付ねじ部の構造図である。
【図６】同プロジェクタにおいて、アッパーケース、光学系部品等を取り外した状態の内部斜視図である。
【図７】図４の取付部において、電動ドライバーの設定ミスにより高トルクで締結された場合の状態図である。
【図８】図５の取付部において、電動ドライバーの設定ミスにより高トルクで締結された場合の状態図である。
【図９】従来例に係るプロジェクタにおける天吊設置用の取付部材の取付状態を説明する図面であって、（ａ）は同取付部材の取付説明図であり、（ｂ）は同取付部材の取付ねじ部の構造図である。
【図１０】他の従来例に係るプロジェクタにおける天吊設置用の取付部材の取付ねじ部の構造図である。
【発明を実施するための形態】
【００２２】
以下、本発明を適用した実施の形態に係る３板式液晶プロジェクタについて、図面を参照して詳細に説明する。
本実施の形態に係るプロジェクタは、光源ランプから出射された光束が赤、緑、青の３原色に分離され、分離された各色光束が、液晶ライトバルブを通して画像情報に対応して変調される。また、変調された後の各色の変調光束は、ダイクロイックプリズムにより合成され、投写レンズを介して拡大表示されるものである。そして、このような機能を備えたプロジェクタは、略直方体形状の、外装ケースを構成する筐体の内部に光源ランプ、画像表示ユニット、電源部、駆動回路等が収納されている。
【００２３】
また、このようなプロジェクタは、据置設置の場合、図１の外傾斜視図に示すように筐体１の天面２が上側にされ、底面３が下側にされている。そして、投写レンズ１３が配置されている正面４がスクリーンの方向に向くように設置される。なお、据置設置の場合のプロジェクタの設置位置の高さは、スクリーンの中央部の高さより低く設置されている。
【００２４】
筐体１は、上下に分割された樹脂成形品であって、液晶プロジェクタの上方部を覆うアッパーケース１０と、下方部を覆うボトムケース３０とから構成されている。また、アッパーケース１０は、天面２、正面４及び左右側面５、６の前部とからなる前アッパーケース１１と、後面７と、天面２、左右側面５、６の後部とからなる後アッパーケース１２とに分割されている。これら前アッパーケース１１及び後アッパーケース１２はボトムケース３０に固定されている構造部材（不図示）に対しねじ止めされて固定されている。ボトムケース３０は、底面３を構成する底壁３１と、この底壁３１の周辺にアッパーケース１０との接合部を形成する小寸法の高さからなる立上部３２（図６参照）とから構成されている。
【００２５】
筐体１の正面４には、投写レンズ１３が前方に臨むように取り付けられている。また、天面２には光源ランプを交換するための扉１４が形成されるとともに、プロジェクタの画質、ピント等を調節するための操作スイッチ類１５が設けられている。後面にはスピーカが内蔵された音声発生部１７や、画像入力用の機器接続用配線コネクタ等が配置された接続端子部１８や、電源端子部１９などが配置されている。左側面５には吸気口２１が形成されている。
【００２６】
そして、このような外観を有するプロジェクタを天吊設置する場合は、図２の外観斜視図に示すように、ボトムケース３０の底面３を上側にし、この底面３の上に天吊設置用の取付部材４０が取り付けられる。なお、底面３の前部には、図２に示されるように、据付設置の場合に利用されるレベル調整可能な脚部３３が取り付けられたままとされている。
【００２７】
取付部材４０は、図２及び図３に示すように、底面３から天井側に向かって一段高くなるように形成された平面視四角形の平坦部４１と、この平坦部４１の周囲に形成された鉛直方向の立上げ壁４２と、この立上げ壁４２に連続して形成されている側方及び後方の取付辺部４３、４４とが設けられている。また、平坦部４１の中央左側面よりには、下方に折り曲げされて形成された中央取付辺部４５が設けられている。さらに、平坦部４１の中央部には、一対の立上り壁４６が設けられ、この立上り壁４６の上端には水平部４７が形成されている。
【００２８】
この水平部４７は、図３に示すように、天井６０に取り付けられている天吊部材６１のスライド面部６２に対し、前後方向からスライド式に係合されるように構成されている。天井６０に取り付けられる天吊部材６１は、樹脂一体成形された部材であって天井６０に対し、締結ねじ６３により固定される取付辺部６４と、高さ方向中央部が括れた形を成す支柱部６５とからなり、この支柱部６５の括れ部６６に前記スライド面部６２が形成されている。
【００２９】
天吊設置用の取付部材４０の底面３への取付は、図２に示すように、４本の取付ねじ５５により行われている。取付ねじ５５は、側方の取付辺部４３に２箇所、後方の取付辺部４４に１箇所、中央の中央取付辺部４５に１箇所それぞれ設けられている。これを右側面６側から左側面５に向かって第一締結部５１、第二締結部５２、第三締結部５３、第四締結部５４と称する。
【００３０】
ここで、これら四つの締結部のうち本発明の特徴を最も良く備えた第一締結部５１の詳細構造を図４に基づき説明する。
第一締結部５１の詳細構造は、図４に示すように、底面３を構成する底壁３１に円筒部３４が形成され、その内部にインサートナット３５が部分的に埋め込まれている。インサートナット３５は、内部に雌ねじが貫通状に形成された円筒状ねじ部３５ａの軸方向中間部の外周に鍔部３５ｂが一体的に形成されている。そして、鍔部３５ｂが円筒部３４の端部に当接するように、円筒状ねじ部３５ａにおける筐体外部側が円筒部３４に埋め込まれ、これによりインサートナット３５が固定されている。
【００３１】
また、インサートナット３５は、円筒状ねじ部３５ａにおける鍔部３５ｂから筐体外部側の端部までの寸法Ｌ１が、円筒状ねじ部３５ａにおける鍔部３５ｂから筐体内部側の端部までの寸法Ｌ２より大きくなるように形成されている。さらに、鍔部３５ｂの基部３５ｃにおける軸方向の引張強度が、円筒状ねじ部３５ａの軸方向の引張強度よりも小さくなるように、鍔部３５ｂの厚さが薄く設定されている。
【００３２】
このような構造の第一締結部５１に対し、底壁３１の外側からは取付部材４０の取付辺部４３が底面３に当接され、この取付辺部４３に設けられた締結用孔４３ａを介して取付ねじ５５がインサートナット３５に対して締結されている。なお、取付ねじ５５と取付辺部４３との間には座金５５ａが取り付けられている。また、インサートナット３５の筐体内部側端部には、底壁３１に固定される内部機器に形成された板部を結合するように固定ねじ７４が螺合されている。
【００３３】
この第一締結部５１における内部機器は、電磁波用のシールド板であるシールドボトム７１であり、内部機器に形成された板部は、シールドボトム７１から切り起こされた折曲部７１ａである。このシールドボトム７１は、図６に示すように、底壁３１の大部分に面して取り付けられている。
【００３４】
さらに、このシールドボトム７１の下側（内部側）には、内部機器に形成された板部として図４及び図６に示すように、電源部７２用のシールド板であるシールドパワー７３の取付板部７３ａが当接されている。そして、シールドボトム７１の折曲部７１ａ及びシールドパワー７３の取付板部７３ａが固定ねじ７４によりインサートナット３５の筐体内部側の端部に対し共締めされて結合されている。なお、電源部７２は、図６に示されるように、筐体１内部の右側面６よりかつ正面４よりに配置されており、その周囲にシールドパワー７３が被せられている。
【００３５】
また、第二締結部５２は、第一締結部５１と略同一の構造であり、第一締結部５１におけるシールドパワー７３の取付板部７３ａに代わり、光源ランプ部７５の右方位置に設けられた電磁波用のシールド板であるシールドランプ７６の取付板部７６ａが固定ねじ７４により共締めされて結合されたものである。なお、光源ランプ部７５は、図６から分かるように、筐体１の内部において電源部７２の後方に設けられている。
【００３６】
また、第三締結部５３は、図６に示されるように、後面中央部付近に設けられたもので、底壁３１の外側から取付部材４０の取付辺部４４が底面３に当接され、この取付辺部４４に設けられた締結用孔４４ａを介して取付ねじ５５がインサートナット３５に対して締結されている。また、この第三締結部５３においては、図５及び図６に示されるように、内部機器に形成された板部としてはシールドボトム７１の折曲部７１ａのみが、インサートナット３５の筐体内部側端部に当接され、固定ねじ７４によりインサートナット３５の筐体内部側端部に結合されている。なお、この第三締結部５３においては、他の内部機器に形成された板部は結合されていない。
【００３７】
また、第四締結部５４は、図６に示されるように、正面中央のやや左よりの底壁３１に設けられた吸気口３６の後方に設けられたものである。第四締結部５４は、特に詳細図面は図示はしないが、インサートナット３５の筐体内部側端部には内部機器に形成された板部は何も結合されていない。この点において、第四締結部５４は前述の特許文献２に記載のものと同一である。
【００３８】
本実施の形態においては、上記のように天吊設置用の取付部材４０は、筐体１の底面に対し第一締結部５１〜第四締結部５４の４箇所の締結部において取付ねじ５５により固定されている。また、このうちの第一締結部５１〜第三締結部５３の３箇所の締結部においては、インサートナット３５の筐体内部側の端部に対し固定ねじ７４により内部機器の一つであるシールドボトム７１から切り起こされた折曲部７１ａが取り付けられて結合されている。また、これら３箇所の締結部のうちの第一締結部５１においては、シールドボトム７１の折曲部７１ａの内部側にシールドパワー７３の取付板部７３ａが固定ねじ７４により共締めされている。また、第二締結部５２においては、シールドボトム７１の折曲部７１ａの内部側にシールドランプ７６の取付板部７６ａが固定ねじ７４により共締めされている。
【００３９】
次に、以上のように構成された実施の形態に係るプロジェクタについて、その作用を説明する。
このような第一締結部５１〜第三締結部５３における内部機器に形成された板部材との結合は、筐体１内に内部機器が組み込まれる際に行われる。したがって、前述の取付部材４０が取り付けられることにより、これら締結部の取付ねじ５５の取付部においては、天吊設置用の取付部材４０、シールドボトム７１、シールドランプ７６等の内部機器、インサートナット３５及び底壁３１が一体的に固定される。この結果、プロジェクタの重量や、取付部材４０に加えられる外部からの力がインサートナット３５と底壁３１との密着結合部に大きく作用することがなくなり、インサートナット３５周辺の底壁３１の磨耗や部分損壊が抑制され、これにより取付ねじ５５の取付部の強度が向上する。
【００４０】
また、電動ドライバーの設定ミスにより高トルク設定で取付ねじ５５が締結される場合には、鍔部３５ｂが筐体１の円筒部３４に当接して固定されているため、インサートナット３５が円筒部３４内で空転し始める。そして、取付ねじ５５が締付されるに従いインサートナット３５の円筒状ねじ部３５ａ及び鍔部３５ｂの基部３５ｃに大きな引張力が作用する。ところが、鍔部３５ｂが薄く形成され、その基部３５ｃの引張強度が、インサートナット３５の円筒状ねじ部３５ａの引張強度よりも小さくなるように形成されているので、円筒状ねじ部３５ａに大きな力が作用する前に、鍔部３５ｂの基部３５ｃが破断される。また、このときの引張力は、円筒部３４に埋め込まれたインサートナット３５の固定力を上回るため、インサートナット３５が円筒部３４内で空転する。
【００４１】
これにより、第一締結部５１では、図７に示すように、鍔部３５ｂが破断して離散する。また、取付ねじ５５の締め付け力によりインサートナット３５が回転して固定ねじ７４がさらに締め付けられるとともに、折曲部７１ａ及び取付板部７３ａにおける固定ねじの貫通孔が変形拡大される。そして、シールドボトム７１の折曲部７１ａ及びシールドパワー７３の取付板部７３ａが変形し、鍔部３５ｂの破断に伴い天吊設置用の取付部材４０、内部機器であるシールドボトム７１、インサートナット３５及び底壁３１の一体性が損なわれ、底壁３１が取付部材４０の取付辺部４３から離れる。図７におけるＣ１は、この離間寸法を示す。作業者は、この離間寸法Ｃ１を認識することにより容易に異常であると判断することができ、直ちに締結作業を停止することができる。この結果、インサートナット３５の破断が防止され、インサートナット３５の筐体内部側の端部とシールドボトム７１やシールドパワー７３との結合が維持される。これによりプロジェクタの落下が防止される。
【００４２】
したがって、インサートナット３５の円筒状ねじ部３５ａにおける鍔部３５ｂから筐体内部側の端部までの寸法Ｌ２は、インサートナット３５の筐体外部から天吊設置用の取付部材４０を取り付ける取付ねじ５５が過剰なトルクで締結されたときに、鍔部３５ｂの基部３５ｃに応力集中させることを許容する機能を有する。また、この円筒状ねじ部３５ａにおける鍔部３５ｂから筐体内部側の端部までの寸法Ｌ２は、鍔部３５ｂの基部３５ｃが破断されたときに天吊設置用の取付部材４０、内部機器、インサートナット３５及び底壁３１の一体性が損なわれて、底壁３１が取付部材４０の取付辺部４３から認識できる程度に離間させることを許容する程度の大きさであればよい。
【００４３】
また、第二締結部５２において、電動ドライバーの設定ミスにより高トルクで締結された場合は、第一締結部５１の場合と比較して、内部機器に形成された板部がシールドボトム７１の折曲部７１ａとシールドランプ７６の取付板部７６ａである点で相違する。しかしながら、二つの板部を共締めする点において両者同一であるため、電動ドライバーの設定ミスにより高トルクで締結された場合も、図７に示すものと基本的に同様になる。
【００４４】
また、第三締結部５３において、電動ドライバーの設定ミスにより高トルクで締結された場合は、内部機器に形成された板部がシールドボトム７１の折曲部７１ａのみとなる点で第一締結部５１の場合と相違する。この場合は、図８に示すように、インサートナット３５に筐体内部側端部に固定される板部が１個であるため、第一締結部５１や第二締結部５２の場合に比較して、シールドボトム７１の折曲部７１ａの変形量が大きくなりまた、固定ねじ７４もさらに締め付けられ、底壁３１と取付部材４０の取付辺部４４との離間寸法Ｃ２が大きくなりやすい。
【００４５】
また、この実施の形態においては、第一締結部５１〜第三締結部５３において、内部機器に形成された板部と結合されているので、１箇所の取付部に支障が生じても他の取付部における内部機器との結合によりプロジェクタ落下が防止される。特に、底壁３１の内面大部分と対面するシールドボトム７１の複数個所において、シールドボトム７１とインサートナット３５の筐体内部側の端部において結合されているので、天吊設置用の取付部材４０、シールドボトム７１、複数のインサートナット３５及び底壁３１が一体的に固定され、プロジェクタの吊り下げ強度が向上する。
【００４６】
以上のように構成された実施の形態に係るプロジェクタによれば、次の効果を奏することができる。
（１）貫通状にねじ孔が形成された同一のインサートナット３５に対し、筐体内部側の端部には、底壁３１に固定される内部機器に形成された板部と結合するように固定ねじ７４が螺合され、筐体外部側の端部には、筐体１の外部に天吊設置用の取付部材４０を取り付ける取付ねじ５５が螺合される。これにより、取付ねじ５５の取付部においては、天吊設置用の取付部材４０、内部機器、インサートナット３５及び底壁３１が一体的に固定されるので、プロジェクタの重量やプロジェクタに加えられた力がインサートナット３５と底壁３１との密着結合部に大きく作用することがない。
【００４７】
（２）電動ドライバーの設定ミスにより高トルクで締結されるようなことがあっても、インサートナット３５の鍔部３５ｂの基部３５ｃの引張強度が円筒状ねじ部３５ａの引張強度よりも小さくなるように形成されているので、円筒状ねじ部３５ａの破断が防止される。
【００４８】
（３）また、この場合には鍔部３５ｂの破断に伴い、天吊設置用の取付部材４０、内部機器、インサートナット３５及び底壁３１の一体性が損なわれて、プロジェクタの底壁３１が取付部材から離間するため、作業者はこれにより異常が発生したことを直ちに認識することができ、この事態に対処することができる。
【００４９】
（４）インサートナット３５は、円筒状ねじ部３５ａにおける鍔部３５ｂの筐体外部側の端部までの寸法Ｌ１が、円筒状ねじ部３５ａにおける鍔部３５ｂから筐体内部側の端部までの寸法Ｌ２より短く形成されている。したがって、インサートナット３５の円筒状ねじ部３５ａのうち筐体１の円筒部３４に埋め込まれる部分を大きく採ることができ、インサートナット３５の固定強度を大きくすることができる。
【００５０】
（５）インサートナット３５の筐体内部側の端部に結合される内部機器に形成された板部としてシールドボトム７１から切り起こされた折曲部７１ａを利用している。ところで、シールドボトム７１は、通常底壁３１の広範囲の部分に対面して取り付けられているので、適宜の場所で、シールドボトム７１に折曲部７１ａを形成し、この折曲部７１ａをインサートナット３５と結合することができる。
【００５１】
（６）また、取付ねじ５５による一部の締結部においては、固定ねじ７４によりインサートナット３５の筐体内部側の端部に結合される内部機器に形成された板部として、シールドボトム７１から切り起こされた折曲部７１ａ、筐体内部に取り付けられる他の内部機器に形成された板部が含まれている。したがって、これら締結部においては固定ねじ７４を、内部機器を取り付けるための取付ねじに￥兼用することができる。これによりコスト軽減に寄与することができる。
【００５２】
（７）また、取付ねじ５５による複数の締結部においては、インサートナット３５の筐体内部側の端部に結合される板部としてシールドボトム７１から切り起こされた折曲部７１ａが含まれているので、天吊設置用の取付部材４０、内部機器であるシールドボトム７１、複数のインサートナット３５及び底壁３１が一体的に固定される。これにより、プロジェクタの吊り下げ強度が向上する。
【００５３】
（変形例）
・上記実施の形態において、筐体１の内側からインサートナット３５に対して取り付けられる内部機器に形成された板部は、上記のようなシールドボトム７１の折曲部７１ａや、シールドパワー７３の取付板部７３ａや、シールドランプ７６の取付板部７６ａなどに限られることはなく他の機器のシールド部材としてもよい。また、シールド部材以外の内部機器に形成された板部、例えば、スピーカや制御基板のような部品の取付板部を単独又は共締めにより取り付けることもできる。
【００５４】
・天吊設置用の取付部材４０の取付ねじ５５の個数及び位置は、前記実施の形態のものに限らない。個数について云えば、例えば５個以上であってもよいし、また、他の係合手段との併用により３個以下としてもよい。
【００５５】
・上記実施の形態においては、一部の取付ねじ５５の取付部において、筐体１の内側から内部機器の有する板部と結合されていたが、全部の取付ねじ５５の取付部においてシールドボトム７１の折曲部７１ａと結合されるようにしたものでもよい。
【００５６】
・また、共締めされる内部機器の個数は最大２個の場合しか掲げられていないが、３個以上としてもよい。
・また、全ての取付ねじ５５の締結部において、インサートナット３５に対し内部機器に形成された板部が結合されるようにしてもよい。また、全ての取付ねじ５５の締結部において、インサートナット３５に対し２個以上の内部機器に形成された板部が共締めにより結合されるものとしてもよい。
【産業上の利用可能性】
【００５７】
本発明に係るプロジェクタは、ホームシアター、会議室、研修室、教室、娯楽場、各種展示室、スタジオなど多方面の施設における画像表示システムとして利用することができる。
【符号の説明】
【００５８】
Ｌ１，Ｌ２…寸法、１…筐体、３…（筐体の）底面、３１…底壁、３４…円筒部、３５…インサートナット、３５ａ…円筒状ねじ部、３５ｂ…鍔部、３５ｃ…（鍔部の）基部、４０…取付部材、５５…取付ねじ、７１…シールドボトム、７１ａ…（シールドボトムの）折曲部、７４…固定ねじ。
【図１】
2013092585.tif 000003
【図２】
2013092585.tif 000004
【図３】
2013092585.tif 000005
【図４】
2013092585.tif 000006
【図５】
2013092585.tif 000007
【図６】
2013092585.tif 000008
【図７】
2013092585.tif 000009
【図８】
2013092585.tif 000010
【図９】
2013092585.tif 000011
【図１０】
2013092585.tif 000012